(57)【要約】【課題】光出射面または光出射面よりも下方に枠体との係合部が形成されたレンズを備える照明装置において、装置を大型化することなく、当該係合部に起因した輝線の発生を十分に抑制する。【解決手段】実施形態の一例である照明装置は、装置本体と、発光モジュールと、レンズと、枠体とを備える。レンズは光出射面または光出射面よりも枠体の第２の開口寄りに形成されたレンズ係合部を有し、枠体はレンズ係合部と係合する枠体係合部を有する。レンズおよび枠体の少なくとも一方には、レンズ係合部から出る光を遮光する遮光部が形成されている。【選択図】図２
2019200854.tif 000002
【特許請求の範囲】
【請求項１】
少なくとも軸方向一端が開口した筒状の装置本体と、
前記装置本体の内部に設けられる発光モジュールと、
前記発光モジュールの光を透過するレンズと、
軸方向両端が開口した筒状の枠体であって、前記レンズの光出射面から出た光を第１の開口から第２の開口に導く枠体と、
を備え、
前記レンズは、前記光出射面または前記光出射面よりも前記枠体の前記第２の開口寄りに形成されたレンズ係合部を有し、
前記枠体は、前記レンズ係合部と係合する枠体係合部を有し、
前記レンズおよび前記枠体の少なくとも一方に、前記レンズ係合部から出る光を遮光する遮光部が形成されている、照明装置。
【請求項２】
前記枠体は、外筒と、前記外筒の内部に配置される内筒とを有し、
前記内筒は、前記枠体係合部を有し、前記遮光部として機能する、請求項１に記載の照明装置。
【請求項３】
前記内筒は、前記レンズを支持するフランジを有し、当該フランジ上に前記枠体係合部が形成されている、請求項２に記載の照明装置。
【請求項４】
前記内筒の内面は黒色である、請求項２または３に記載の照明装置。
【請求項５】
前記レンズ係合部は、前記光出射面の周縁部に複数形成された凸部または凹部である、請求項１〜４のいずれか１項に記載の照明装置。
【発明の詳細な説明】
【技術分野】
【０００１】
本開示は、照明装置に関する。
【背景技術】
【０００２】
従来、発光モジュールを収容する筒状の装置本体と、装置本体に固定される筒状の枠体と、発光モジュールの光を配光制御するレンズとを備え、装置本体および枠体が天井の埋め込み孔に挿入された状態で天井に取り付けられる照明装置が広く知られている。例えば、特許文献１には、レンズ本体およびフランジを含むフレネルレンズを備えた天井埋め込み型の照明装置が開示されている。
【先行技術文献】
【特許文献】
【０００３】
【特許文献１】特開２０１７−００４８２３号公報
【発明の概要】
【発明が解決しようとする課題】
【０００４】
ところで、照明装置には、枠体に対してレンズを固定するために、レンズの光出射面または光出射面よりも下方に枠体との係合部が設けられる場合がある。しかし、この場合、係合部に起因した輝線が発生するという課題がある。他方、かかる輝線の発生を防止するために、レンズの径方向外側に大きく張り出した係合部を設けることも考えられるが、この場合は、配光を制御するレンズ本体が小さくなる、或いは照明装置が大型化する等の課題がある。
【課題を解決するための手段】
【０００５】
本開示の一態様である照明装置は、少なくとも軸方向一端が開口した筒状の装置本体と、前記装置本体の内部に設けられる発光モジュールと、前記発光モジュールの光を透過するレンズと、軸方向両端が開口した筒状の枠体であって、前記レンズの光出射面から出た光を第１の開口から第２の開口に導く枠体とを備える。前記レンズは前記光出射面または前記光出射面よりも前記枠体の前記第２の開口寄りに形成されたレンズ係合部を有し、前記枠体は前記レンズ係合部と係合する枠体係合部を有する。前記レンズおよび前記枠体の少なくとも一方に、前記レンズ係合部から出る光を遮光する遮光部が形成されている。
【発明の効果】
【０００６】
本開示の一態様によれば、光出射面または光出射面よりも下方に枠体との係合部が形成されたレンズを備える照明装置において、装置を大型化することなく、当該係合部に起因した輝線の発生を十分に抑制できる。
【図面の簡単な説明】
【０００７】
【図１】第１実施形態の照明装置の斜視図である。
【図２】第１実施形態の照明装置の分解斜視図である。
【図３】第１実施形態の照明装置の断面図である。
【図４】第１実施形態の照明装置を構成するレンズの斜視図である。
【図５】第１実施形態の照明装置を構成する枠体の分解斜視図である。
【図６】第１実施形態の変形例を示す図である。
【図７】第１実施形態の変形例を示す図である。
【図８】第２実施形態の照明装置の断面図である。
【図９】第２実施形態の照明装置を構成するレンズおよび枠体の分解斜視図である（カバーおよびシール部材の図示省略）。
【図１０】第３実施形態の照明装置の斜視図である。
【図１１】第３実施形態の照明装置の断面図である。
【図１２】第３実施形態の照明装置を構成するレンズおよび枠体の分解斜視図である。
【発明を実施するための形態】
【０００８】
以下、図面を参照しながら、本開示に係る照明装置の実施形態の一例について詳細に説明する。図１は第１実施形態である照明装置１０の斜視図、図２は照明装置１０の分解斜視図、図３は照明装置１０の断面図である。
【０００９】
図１〜図３に例示するように、照明装置１０は、少なくとも軸方向一端が開口した筒状の装置本体１１と、装置本体１１の内部に設けられる発光モジュール２０とを備える。照明装置１０は、装置本体１１の開口を鉛直下方に向けた状態で天井の埋め込み孔に挿入される天井埋め込み型の照明装置である。照明装置１０は、一般的にダウンライトと呼ばれる。本明細書では、説明の便宜上、照明装置１０を水平な天井に取り付けた状態で、照明装置１０の鉛直上方側を「上」、鉛直下方側を「下」とする。
【００１０】
照明装置１０は、例えば住居の室内において水平な天井に取り付けられるが、水平方向および鉛直方向に対して傾斜した天井に取り付けることも可能である。また、照明装置１０は住居の廊下、玄関などの天井、或いは図書館、駅等の公共施設、デパート等の商業施設、オフィス、店舗、工場などの天井に取り付けることもできる。照明装置１０が取り付けられる天井は、建築空間の上方を区画する部位であればよく、例えば玄関ポーチ、テラスなどの天井であってもよい。なお、本開示に係る照明装置は、ダクトレール等に取り付けられてもよく、天井埋め込み以外の形態で天井に取り付けられてもよい。
【００１１】
照明装置１０は、発光モジュール２０の光を透過するレンズ４０と、軸方向両端が開口した筒状の枠体５０とを備える。枠体５０は、レンズ４０の光出射面４１から出た光を上端開口（第１の開口）から下端開口（第２の開口）に導く筒状部材である。枠体５０を設けることで、例えばレンズ４０を装置の奥に配置でき、遮光角を大きくしてグレアを低減できる。また、照明装置１０は、装置本体１１に固定され、発光モジュール２０を保持するホルダ３０を備える。照明装置１０は、装置本体１１の下に枠体５０が固定され、装置本体１１の内部に、ホルダ３０およびレンズ４０が上から順に配置された構造を有する。
【００１２】
照明装置１０には、複数の取付バネ１９が設けられている。取付バネ１９は、板バネ構造を有し、水平方向に延びている。照明装置１０は、取付バネ１９が天井裏空間において埋め込み孔の周囲に当接することで天井に固定される。本実施形態では、枠体５０を構成する外筒５１に取付バネ１９が固定されている。一般的に、照明装置１０は、発光モジュール２０に電力を供給する電源ユニット（図示せず）を備える。電源ユニットは、装置本体１１と一体化されていてもよい。
【００１３】
詳しくは後述するが、レンズ４０は、光出射面４１または光出射面４１よりも枠体５０の下端開口寄りに形成されたレンズ係合部を有する。枠体５０は、レンズ係合部と係合する枠体係合部と、レンズ係合部から出る光を遮光する遮光部とを有する。本実施形態では、レンズ係合部として凹部４４が、枠体係合部として凸部６４がそれぞれ設けられ、枠体５０の内筒６１が凹部４４から出る光を遮光する遮光部材として機能する（図４参照）。なお、遮光部は、レンズに形成されていてもよく、レンズおよび枠体に形成されていてもよい。
【００１４】
装置本体１１は、筒壁１２および天板１３によって形成される筒状部を有する。当該筒状部は、軸方向一端（下端）が開口した有底円筒状に形成されている。装置本体１１は、一般的にアルミニウム、または鉄を主成分とする金属材料で構成され、絞り加工、ダイカスト成形等により製造される。なお、装置本体１１は、有底円筒状の筒状部を含む部材に限定されず、筒状部は軸方向に垂直な断面が矩形状を呈していてもよい。
【００１５】
装置本体１１には、天板１３上に立設した複数の放熱フィン１４、および筒壁１２の外面から径方向外側に張り出したブロック状の放熱フィン１５が形成されている。なお、放熱フィンを有さない装置本体を用いてもよい。本実施形態では、ホルダ３０がネジ１３ｂを用いて装置本体１１の天板１３に固定される。このため、天板１３には、ネジ１３ｂと放熱フィン１４が干渉しない位置に、ネジ挿通孔１３ａが複数形成されている（図２参照）。また、天板１３には、リード線挿通孔１３ｃが形成され、リード線（図示せず）とリード線挿通孔１３ｃとの隙間を塞ぐシール部材１３ｄが取り付けられる（図３参照）。
【００１６】
装置本体１１は、上記筒状部の下端開口の周囲において径方向外側に張り出した本体フランジ１６を有する。本体フランジ１６は、枠体５０の固定に利用される。本実施形態では、枠体５０がネジ１６ｂを用いて本体フランジ１６に固定される。このため、本体フランジ１６には、ネジ１６ｂと筒壁５２が干渉しない位置に、ネジ挿通孔１６ａ（図２参照）が複数形成されている。また、本体フランジ１６には、枠体５０の外側凸部５９と係合する凹部１７が形成されている。凹部１７は、本体フランジ１６から枠体５０側に延出した２本の突起の間に形成される。
【００１７】
装置本体１１は、上記筒状部の内側に張り出し、レンズ４０を上から押える張出部１８を有する（図３参照）。張出部１８は、例えば筒状部の周方向に間隔をあけて複数、好ましくは３個形成される。図３に示す例では、張出部１８がシール部材４５を介してレンズフランジ４３を上から押えている。これにより、レンズ４０の上下方向の動きが規制される。レンズ４０は、装置本体１１および枠体５０によって挟持されていてもよい。シール部材４５は、レンズフランジ４３に装着される環状の部材であって、例えば装置本体１１とレンズ４０の隙間を塞ぐと共に、レンズ４０を保護する緩衝材としても機能する。
【００１８】
発光モジュール２０は、ホルダ３０によって保持され、装置本体１１の内部に設けられる。発光モジュール２０は、例えば光源２１と、光源２１が配置される基板２２とを有する。光源２１を構成する発光素子は、ＬＥＤ（Light Emitting Diode）等の半導体発光素子が好ましい。発光素子は、蛍光体を含む封止層で封止されてもよい。この場合、蛍光体によって発光素子の青色光の一部がより長波長の光に変換され、青色光の残りの一部と混色されることで白色光が出射されてもよい。発光モジュール２０は、光源２１の熱を拡散させる放熱板を有していてもよい。発光モジュール２０は、例えば基板２２または放熱板が天板１３の内面に接触した状態で装置本体１１内に配置される。
【００１９】
ホルダ３０は、軸方向両端が開口した筒状に形成されている。ホルダ３０は、上端から下端に向かって次第に直径が大きくなった末広がりの筒壁３１と、筒壁３１の上部に形成された基板保持部３２とを有する。基板保持部３２は、筒壁３１の上端開口の周囲において、発光モジュール２０を構成する基板２２の周りを囲むように形成されている。発光モジュール２０は、ホルダ３０の上端開口を通して光がレンズ４０および枠体５０側に出射されるように、光源２１が実装された基板２２の面を下に向けて配置される。
【００２０】
ホルダ３０は、天板１３の外側から装置本体１１内に挿通されるネジ１３ｂを用いて天板１３の内面に固定される。筒壁３１の外面には、ネジ１３ｂが締結される複数のボス部３３が立設している。ホルダ３０は、一般的に樹脂材料で構成される。ホルダ３０（筒壁３１）のレンズ４０側に向いた内面には、発光モジュール２０の光を反射させる被膜が形成されていてもよい。或いは、酸化チタン等の白色顔料など、光の反射率が高いフィラーを含有する樹脂によってホルダ３０が構成されていてもよい。ホルダ３０の内面に形成される被膜としては、上記フィラーを含有する塗膜、蒸着、メッキ、スパッタリング等により成膜される金属層、無機化合物層などが例示できる。
【００２１】
以下、図４および図５を適宜参照しながら、レンズ４０および枠体５０について、さらに詳説する。図４はレンズ４０の斜視図、図５は枠体５０の分解斜視図である。
【００２２】
図２〜図４に例示するように、レンズ４０は、レンズ本体４２と、レンズ本体４２の下部に形成されたレンズフランジ４３と、光出射面４１に形成された凹部４４（レンズ係合部）とを有する。光出射面４１は、レンズ４０に入射した発光モジュール２０の光が主に出射される枠体５０側に向いたレンズ４０の下面である。本実施形態では、レンズフランジ４３の下面からも光の一部が出射されるため、レンズフランジ４３の下面も光出射面４１と言える。光出射面４１は、底面視真円形状を有する。
【００２３】
レンズ４０は、発光モジュール２０の光を発散または収束させる光学部材であって、レンズ本体４２が光を発散または収束させる配光制御部として機能する。レンズフランジ４３は、装置内におけるレンズ４０の固定に使用される。レンズ４０は、例えばガラス、またはアクリル系樹脂、ポリカーボネート等の透明性の高い樹脂で構成される。発光モジュール２０の発熱量が多い場合は、ガラス製のレンズ４０を用いることが好ましい。
【００２４】
レンズ本体４２は、例えば光軸の回りに回転対称な形状を有し、枠体５０側に向かって次第に拡径した末広がりの円筒状に形成される。レンズ本体４２の外周面は、全反射面として機能する。レンズ本体４２の中央部には発光モジュール２０側に開口した凹部が形成され、また光出射面４１の中央部は枠体５０側に向かって膨出していてもよい。なお、レンズ本体４２の形状は特に限定されず、目的とする配光状態等に応じて適宜変更できる。
【００２５】
レンズフランジ４３は、光出射面４１の周縁部に沿って環状に形成されている。レンズフランジ４３は、レンズ４０の径方向外側に張り出し、装置本体１１によって上から押えられる。また、レンズフランジ４３は、枠体５０側に突出している。このため、光出射面４１は、周縁部に段差が形成され、周縁部が一段高くなっている。換言すると、光出射面４１のレンズフランジ４３に囲まれた部分が窪んでいる。また、周縁部が一段高くなっていることにより、光出射面４１に影響を与えず加工が可能となり、生産性向上と加工不良の低減が可能となる。
【００２６】
凹部４４は、１個であってもよいが、光出射面４１の周縁部に複数形成されることが好ましい。本実施形態では、レンズフランジ４３の内周縁に凹部４４が形成されている。凹部４４の数は特に限定されないが、好ましくは３個〜６個である。図４に示す例では、レンズフランジ４３の内周縁に４個の凹部４４が形成されている。凹部４４は、レンズ４０の径方向内側および枠体５０側に開口した窪みであって、底面視略Ｕ字状に形成される。凹部４４は、上方に向かって縮幅したテーパー形状を有していてもよい。なお、凹部４４の形状は特に限定されず、枠体係合部である凸部６４が嵌合可能な形状であればよい。
【００２７】
凹部４４は、レンズフランジ４３の一部に偏在することなく、当該フランジの周方向に離れた複数箇所に形成されることが好ましい。例えば、レンズフランジ４３の周方向に略同じ間隔をあけて、換言するとレンズ４０の光軸の回りに略同じ間隔をあけて複数の凹部４４が形成される。この場合、レンズ４０と枠体５０の位置合わせが容易になり、良好な係合状態が得られ易い。
【００２８】
図４に示す例では、レンズ４０の光軸の回りに約９０°間隔で４個の凹部４４が形成されている。凹部４４が３個の場合は、例えばレンズ４０の光軸の回りに約１２０°間隔で形成される。各凹部４４は、互いに異なる形状、寸法を有していてもよいが、好ましくは互いに同じ形状、寸法を有する。
【００２９】
なお、光出射面４１に凹部４４を形成することにより、照明装置１０の小型化を図りつつ、レンズ４０と枠体５０の良好な係合状態を確保できるが、この場合、凹部４４に起因した輝線の発生が想定される。照明装置１０では、凹部４４から出る光を遮光する遮光部を設けることで、かかる輝線の発生が防止される。
【００３０】
図１〜図３および図５に例示するように、枠体５０は、外筒５１と、外筒５１の内部に配置される内筒６１とを有する。また、枠体５０は、内筒６１の下端開口を塞ぐように配置される透光性のカバー７０と、外筒５１とカバー７０の隙間を塞ぐ環状のシール部材７２とを有する。カバー７０は、略円板形状を呈し、円板の端部に形成されたカバー凸部７１を有する。カバー凸部７１は、１個または複数個形成され、外筒５１との位置合わせに使用される。シール部材７２には、例えばＯリングが使用される。
【００３１】
外筒５１および内筒６１は、いずれも軸方向両端が開口した筒状体であって、略円筒状に形成された筒壁５２，６２をそれぞれ有する。外筒５１および内筒６１は、装置本体１１と軸方向が一致するように配置される。例えば、装置本体１１の上記筒状部、外筒５１、および内筒６１の中心軸が互いに略一致した状態で各部材が配置される。なお、外筒５１および内筒６１の形状は、円筒状に限定されず、軸方向に垂直な断面が矩形状であってもよい。
【００３２】
枠体５０は、レンズ係合部である凹部４４に嵌合する凸部６４（枠体係合部）と、凹部４４から出る光を遮光する遮光部とを有する。詳しくは後述するが、本実施形態では、内筒６１が凸部６４を有し、遮光部として機能する。内筒６１は、レンズ４０を支持するフランジ６３を有し、フランジ６３上に凸部６４が形成されている。内筒６１は、凹部４４を覆うようにレンズ４０の下方に配置され、凹部４４に起因した輝線の発生を防止する。
【００３３】
外筒５１は、装置本体１１と同様に金属材料で構成され、絞り加工、ダイカスト成形等により製造される。外筒５１の上部には、外筒５１よりも一回り小さな内筒６１を収容する内部空間６０が形成されている。内筒６１の上下方向長さは外筒５１の上下方向長さより短く、内部空間６０は外筒５１の上端から上下方向中央部にわたって形成される。内部空間６０の底部６０ｂには、外筒５１の上端開口および下端開口よりも小さな開口６０ａが形成されている。なお、枠体５０を通過する光は、上端開口から枠体５０内に入射し、開口６０ａを通って下端開口から出射される。外筒５１の下部は、開口６０ａから下端開口に向かって次第に内径が大きくなった末広がり形状を有する。
【００３４】
外筒５１の下部において、その内面はレンズ４０から出射した光を反射する反射面として機能してもよい。この場合、外筒５１の内面には、白色顔料等のフィラーを含有する塗膜、蒸着、メッキ、スパッタリング等により成膜される金属層、無機化合物層などが形成されていてもよい。また、外筒５１の内面は鏡面仕上げされていてもよく、或いはバッフル形状を有していてもよい。
【００３５】
筒壁５２は、上端面が平坦であり、装置本体１１の本体フランジ１６および内筒６１のフランジ６３を安定に載置可能である。筒壁５２には、取付バネ１９が挿し込まれるバネ固定部５５が複数形成されている。外筒５１は、ネジ１６ｂを用いて装置本体１１の本体フランジ１６に固定される。このため、外筒５１には、ネジ１６ｂが締結される複数のボス部５４が形成されている。
【００３６】
筒壁５２の下端部には、環状のフランジ５３が形成されている。フランジ５３は、照明装置１０が天井に取り付けられた状態、即ち装置本体１１および枠体５０のフランジ５３を除く部分が埋め込み孔から天井裏空間に挿入された状態で、天井面の埋め込み孔の周縁に沿って配置される。
【００３７】
内筒６１が収容される外筒５１の内部空間６０には、シール部材７２が収容される環状の溝５６、およびカバー凸部７１が嵌合する凹部５７が形成されている。溝５６は、内部空間６０の底部６０ｂにおいて開口６０ａの周縁部に形成される。凹部５７は、底部６０ｂにおいて溝５６よりも外筒５１の径方向外側に１個または複数個形成される。また、内部空間６０には、内筒６１との位置合わせに使用される内側凸部５８が形成されている。内側凸部５８は、外筒５１の内面が内側に張り出した内筒６１との係合部であって、１個または複数個形成される。
【００３８】
外筒５１の外面には、装置本体１１との位置合わせに使用される外側凸部５９が形成されている。外側凸部５９は、外筒５１の外面が外側に張り出した装置本体１１との係合部であって、１個または複数個形成される。本実施形態では、装置本体１１の本体フランジ１６に形成された凹部１７に外側凸部５９が嵌合することで、装置本体１１と外筒５１が係合する。
【００３９】
内筒６１は、上述のように、レンズ４０の凹部４４に嵌合する凸部６４を有する。内筒６１のレンズ４０側に位置する上部には、筒壁６２の径方向外側に張り出したフランジ６３が形成され、凸部６４は内筒６１の上端開口の周縁部においてフランジ６３上に複数形成される。本実施形態では、フランジ６３が筒壁６２の上端よりやや下方に形成され、筒壁６２の上端部がフランジ６３の上面（レンズ４０側に向いた面）よりもレンズ４０側に突出している。凸部６４は、筒壁６２の上端部の外周面から径方向外側に突出し、フランジ６３の上面から筒壁６２の上端にわたる高さで形成されている。
【００４０】
内筒６１は、上記遮光部として機能する限りにおいて、金属および樹脂のいずれで構成されてもよい。内筒６１（筒壁６２）の内面は、黒色であることが好ましい。なお、内筒６１の表面全体を黒色としてもよい。ここで、黒色とは、黒色および実質的に黒色と認められる色を意味する。筒壁６２の内面は、例えば波長４００ｎｍ〜７８０ｎｍの可視光の反射率が１０％未満、好ましくは５％未満である。また、筒壁６２は、レンズ４０側に配置される上端から開口６０ａ側に配置される下端に向かって内径が縮小するテーパー状に形成されていてもよい。
【００４１】
筒壁６２の内面を反射率の低い低反射面とした場合、光の利用効率は低下するものの、筒壁６２の内面に当たる光を吸収してカットできるので、レンズ４０から出た光を絞ることができ、グレアの低減機能が向上する。筒壁６２の内面には、カーボンブラック等の黒色顔料など、可視光吸収率の高いフィラーを含有する塗膜が形成されていてもよい。また、蒸着、メッキ、スパッタリング等により光を吸収する金属層、無機化合物層などが形成されていてもよい。或いは、内筒６１が光吸収率の高い材料で構成されていてもよい。
【００４２】
フランジ６３は、その上面にレンズ４０を配置でき、かつ外筒５１の外側に張り出さない大きさで形成されることが好ましい。フランジ６３は、外筒５１の上端面に載せられてもよく、装置本体１１の本体フランジ１６および外筒５１によって挟持されていてもよい。本体フランジ１６には、フランジ６３が嵌合する凹部１６ｃが形成されている。フランジ６３は、筒壁６２の径方向外側に向かって一様に張り出していてもよいが、図５に示す例では、径方向に沿った一の方向に大きく張り出している。
【００４３】
内筒６１は、フランジ６３によって凹部４４が形成されたレンズフランジ４３の下面が覆われるようにレンズ４０の下に配置される。本実施形態では、光出射面４１のレンズフランジ４３に囲まれた部分が窪んでおり、また筒壁６２の上端部がフランジ６３の上面よりもレンズ４０側に突出しているので、光出射面４１の当該窪みに筒壁６２の上端部が挿し込まれる。つまり、内筒６１のフランジ６３によってレンズフランジ４３の下面が覆われ、筒壁６２の上端部によってレンズフランジ４３の内周面が覆われる。このため、凹部４４を含むレンズフランジ４３から出た光は、内筒６１によって遮光され、照明装置１０の下端開口から出射されない。
【００４４】
凸部６４は、１個であってもよいが、内筒６１の上端開口の周縁部に複数形成されることが好ましい。凸部６４は、レンズ４０の凹部４４の数より少数であってもよいが、一般的には凹部４４と同数形成される。図５に示す例では、内筒６１の上端開口の周縁部に４個の凸部６４が形成されている。凸部６４は、凹部４４に対応する形状、寸法で形成される。各凸部６４は、互いに異なる形状、寸法を有していてもよいが、好ましくは互いに同じ形状、寸法を有する。
【００４５】
凸部６４は、凹部４４に対応する位置に形成され、筒壁６２の周方向に離れた複数箇所に形成されている。例えば、筒壁６２の周方向に略同じ間隔をあけて、換言すると筒壁６２の中心軸の回りに略同じ間隔をあけて複数の凸部６４が形成される。この場合、レンズ４０と内筒６１の位置合わせが容易になり、良好な係合状態が得られ易い。図５に示す例では、筒壁６２の中心軸の回りに約９０°間隔で４個の凸部６４が形成されている。
【００４６】
内筒６１は、筒壁６２の外側において、フランジ６３の下面から延出したガイド片６５を有する。ガイド片６５は、外筒５１の内面に対応する形状を有し、外筒５１の内面に沿って配置される。また、ガイド片６５には、外筒５１の内側凸部５８が嵌合するガイド溝を有することが好ましい。ガイド片６５を設けることにより、外筒５１の内部空間６０への内筒６１の挿入が容易になる。
【００４７】
なお、レンズ係合部および枠体係合部は、凹部４４および凸部６４に限定されない。図６および図７は、第１実施形態の変形例を示す図であって、第１実施形態と同様の構成要素には同じ符号を用いて重複する説明を省略する（以下の実施形態についても同様）。
【００４８】
図６に例示するレンズ４０ｘは、レンズ係合部として凸部４４ｘを有する。この場合、図７に例示する内筒６１ｘには、枠体係合部として凸部４４ｘが嵌合する凹部６４ｘが形成される。図６および図７に例示するレンズ４０ｘおよび内筒６１ｘを用いた場合も、凸部４４ｘが形成されたレンズフランジ４３ｘが内筒６１ｘのフランジ６３ｘ上に配置され、レンズフランジ４３ｘの内側に筒壁６２ｘの上端部が挿し込まれる。このため、レンズフランジ４３ｘの下面および内周面が内筒６１ｘで覆われ、凸部４４ｘから出る光が遮光される。
【００４９】
以下、図８および図９を参照しながら、第２実施形態である照明装置１００について説明する。図８は照明装置１００の断面図、図９は照明装置１００を構成するレンズ１４０および枠体１５０の分解斜視図である。なお、図９ではカバー７０およびシール部材７２の図示を省略している。
【００５０】
図８および図９に例示するように、照明装置１００は、遮光部材である内筒６１の代わりに、遮光部として機能する筒部１４５が形成されたレンズ１４０を備える点で、照明装置１０と異なる。レンズ１４０は、レンズ４０と同様に、光出射面４１の周縁部に形成され、レンズ１４０の径方向外側に張り出したレンズフランジ１４３を有する。レンズフランジ１４３は、シール部材４５を介して装置本体１１の張出部１８によって上から押えられる。レンズ１４０は、光出射面４１の一部を構成するレンズフランジ１４３の下面から枠体１５０側に延びた凸部１４４を有する。
【００５１】
凸部１４４は、枠体１５０との位置合わせに使用されるレンズ係合部であって、枠体１５０の筒壁１５２に形成された枠体係合部である凹部１５８に嵌合する。なお、枠体１５０の上部には、レンズ１４０の下部に形成された筒部１４５を収容する内部空間６０が形成されている。凹部１５８は、枠体１５０の内側およびレンズ１４０側に向かって開口した溝状に形成されているので、凸部１４４と凹部１５８の位置を合わせてレンズ１４０の下部を内部空間６０に挿し込むことで、凸部１４４が凹部１５８に嵌合する。
【００５２】
凸部１４４は、１個であってもよいが、光出射面４１の周縁部に複数形成されることが好ましい。本実施形態では、光出射面４１の周縁部に４個の凸部１４４が形成されている。凸部１４４は、レンズフランジ１４３の下面から筒部１４５の外面に沿って枠体１５０側に延びている。換言すると、凸部１４４は、筒部１４５の外面から外側に張り出している。凸部１４４は、レンズフランジ１４３の周方向に離れた複数箇所に形成されることが好ましく、例えばレンズ１４０の光軸の回りに略同じ間隔をあけて複数形成される。なお、凸部１４４は、レンズフランジ１４３の下面から離れた筒部１４５の外面に形成されていてもよい。
【００５３】
各凸部１４４は、互いに異なる形状、寸法を有していてもよいが、好ましくは互いに同じ形状、寸法を有する。凹部１５８は、筒壁１５２の内面において凸部１４４が嵌合可能な位置に、凸部１４４に対応する形状、寸法で形成される。また、凹部１５８は、凸部１４４と同数形成されることが好ましい。
【００５４】
筒部１４５は、レンズフランジ１４３の内周縁から枠体１５０側に延出し、凸部１４４から出る光を遮光する遮光部として機能する。筒部１４５は可視光を透過しない材料で構成されてもよいが、好ましくは筒部１４５の内面に可視光を実質的に透過しない遮光層を設ける。遮光層は、例えば波長４００ｎｍ〜７８０ｎｍの可視光の透過率が５％未満の層であって、一例として、カーボンブラック等の黒色顔料など、可視光吸収率の高いフィラーを含有する塗膜が挙げられる。また、蒸着、メッキ、スパッタリング等により遮光層が形成されてもよい。
【００５５】
筒部１４５は、円筒状に形成され、内部空間６０の底部６０ｂに略当接している。本実施形態では、凸部１４４の内側に筒部１４５が存在するので、例えば凸部１４４から出る光は筒部１４５の内部に進入しない。また、凸部１４４から出た光が開口６０ａから漏れないように、凸部１４４の下方は筒部１４５および枠体１５０（内部空間６０の底部６０ｂ）によって塞がれている。なお、枠体１５０は、開口６０ａを塞ぐ透光性のカバー７０と、枠体１５０とカバー７０の隙間を塞ぐ環状のシール部材７２とを有する。
【００５６】
以下、図１０〜図１２を参照しながら、第３実施形態である照明装置２００について説明する。図１０は照明装置２００の斜視図、図１１は照明装置２００の断面図、図１２は照明装置１００を構成するレンズ４０および枠体２５０の分解斜視図である。
【００５７】
図１０〜図１２に例示するように、照明装置２００は、内筒６１および筒部１４５を有さず、レンズ４０の略全体が枠体２５０の内部空間６０に収容されている点で、上述の実施形態と異なる。また、ホルダ３０の下部も内部空間６０に収容されている。このため、照明装置２００は、高さの低い薄型の装置本体２１１を備える。なお、装置本体２１１は、装置本体１１と同様に、筒壁２１２、天板２１３、および本体フランジ１６を有する有底円筒状の部材であって、装置本体２１１にはホルダ３０および枠体２５０がネジ止めされる。
【００５８】
枠体２５０は、内部空間６０の底部６０ｂに形成された開口６０ａの周縁部に、レンズ４０の凹部４４に嵌合する凸部２５８（枠体係合部）を有する。内部空間６０の底部６０ｂには、開口６０ａの周縁に沿ってレンズ４０側に突出した環状凸部２５７が形成され、凸部２５８は環状凸部２５７の外周面から外側に突出している。凸部２５８は、凹部４４に嵌合可能な位置に、凹部４４に対応する形状、寸法で形成される。また、凸部２５８は、凹部４４と同数形成されることが好ましい。
【００５９】
照明装置２００では、レンズフランジ４３が内部空間６０の底部６０ｂ上に配置されると共に、レンズフランジ４３の内側に環状凸部２５７が挿し込まれる。このため、凹部４４が形成されたレンズフランジ４３の下面および内周面が枠体２５０で覆われ、凹部４４から出る光が遮光される。本実施形態では、環状凸部２５７および凸部２５８が形成された内部空間６０の底部６０ｂが遮光部として機能する。
【００６０】
以上のように、上記構成を備えた照明装置１０，１００，２００によれば、レンズ係合部によって枠体との良好な係合状態を容易に確保できると共に、照明装置の小型化を図りつつ、レンズ係合部に起因した輝線の発生を十分に抑制できる。
【００６１】
なお、上述の実施形態は、本開示の目的を損なわない範囲で適宜設計変更できる。例えば、上述の実施形態ではフランジを有するレンズを例示したが、レンズはフランジを有していなくてもよい。レンズは、ホルダおよび枠体によって挟持されていてもよい。また、上述の実施形態ではレンズの光出射面につながったレンズ係合部を例示したが、レンズ係合部は光出射面から離れて枠体の第２の開口寄りに形成されていてもよい。上述の各実施形態の構成要素を選択的に組み合わせてもよく、或いは構成要素の一部を取り除いてもよい。
【符号の説明】
【００６２】
１０  照明装置、１１  装置本体、１２  筒壁、１３  天板、１３ａ，１６ａ  ネジ挿通孔、１３ｂ，１６ｂ  ネジ、１３ｃ  リード線挿通孔、１３ｄ  シール部材、１４，１５  放熱フィン、１６  本体フランジ、１６ｃ，１７  凹部、１８  張出部、１９  取付バネ、２０  発光モジュール、２１  光源、２２  基板、３０  ホルダ、３１  筒壁、３２  基板保持部、３３  ボス部、４０  レンズ、４１  光出射面、４２  レンズ本体、４３  レンズフランジ、４４  凹部、４５  シール部材、５０  枠体、５１  外筒、５２，６２  筒壁、５３，６３  フランジ、５４  ボス部、５５  バネ固定部、５６  溝、５７  凹部、５８  内側凸部、５９  外側凸部、６０  内部空間、６０ａ  開口、６０ｂ  底部、６１  内筒、６４  凸部、６５  ガイド片、７０  カバー、７１  カバー凸部、７２  シール部材
【図１】
2019200854.tif 000003
【図２】
2019200854.tif 000004
【図３】
2019200854.tif 000005
【図４】
2019200854.tif 000006
【図５】
2019200854.tif 000007
【図６】
2019200854.tif 000008
【図７】
2019200854.tif 000009
【図８】
2019200854.tif 000010
【図９】
2019200854.tif 000011
【図１０】
2019200854.tif 000012
【図１１】
2019200854.tif 000013
【図１２】
2019200854.tif 000014